(57)【要約】【課題】特定の規格の情報記録媒体を、異なる規格の情報記録媒体として認識可能に情報の記録と再生が可能とする情報記録媒体を提供する。【解決手段】  この発明は、記録層と光反射層から構成される記録膜と、記録層と光反射層との間の界面に、凹凸形状を有するプリグルーブとプリグルーブ間に挟まれたランドと、を有する情報記録媒体１００において、プリグルーブとランドは、所定の周波数のウォブルが与えられ、その周波数は記録及び再生に６５０±５ｎｍの光を用いる規格の記録媒体に比較して所定のずれを含むことを特徴とする情報記録媒体である。【選択図】図１６
2008217909.tif 000002
【特許請求の範囲】
【請求項１】
記録層と光反射層から構成される記録膜と、
前記記録層と前記光反射層との間の界面に、凹凸形状を有するプリグルーブとプリグルーブ間に挟まれたランドと、を有する情報記録媒体において、
前記プリグルーブと前記ランドは、所定の周波数のウォブルが与えられ、その周波数は記録及び再生に６５０±５ｎｍの光を用いる規格の記録媒体に比較して所定のずれを含むことを特徴とする情報記録媒体。
【請求項２】
前記プリグルーブと前記ランドに与えられるウォブルの周波数は記録及び再生に６５０±５ｎｍの光を用いる規格の記録媒体に与えられるウォブルに比較して、整数倍あるいは整数分の１でずらされていることを特徴とする請求項１記載の情報記憶媒体。
【請求項３】
前記プリグルーブと前記ランドに与えられるウォブルの周波数は、前記記録膜中に形成される同期ブロックの個数の整数分の１を単位としてずらされていることを特徴とする請求項１記載の情報記憶媒体。
【請求項４】
前記ウォブルの振幅は、記録及び再生に６５０±５ｎｍの光を用いる規格の記録媒体に比較して、前記記録膜中のデータが記録可能な領域のうち、内周寄りと外周寄りの所定の範囲にのみ設けられることを特徴とする請求項１記載の情報記録媒体。
【請求項５】
前記記録膜は６５０±５ｎｍの光で再生可能な光反射率を有し、
前記記録層は前記６５０±５ｎｍよりも短波長の光に対して記録感度を有することを特徴とする請求項１記載の情報記録媒体。
【請求項６】
記録層と光反射層から構成される記録膜と、
前記記録層と前記光反射層との間の界面に、凹凸形状を有するプリグルーブとプリグルーブ間に挟まれたランドと、を有する情報記録媒体において、
前記プリグルーブと前記ランドの前記ウォブルは、前記記録膜中に形成される同期ブロックにおいて、その一部にのみ与えられることを特徴とする請求項１記載の情報記録媒体。
【請求項７】
記録層と光反射層から構成される記録膜と、
前記記録層と前記光反射層との間の界面に、凹凸形状を有するプリグルーブとプリグルーブ間に挟まれたランドと、を有する情報記録媒体において、
前記プリグルーブと前記ランドの前記ウォブルは、前記記録膜中のデータが記録可能な領域のうち、内周寄りの所定の範囲にのみ設けられることを特徴とする請求項１記載の情報記録媒体。
【発明の詳細な説明】
【技術分野】
【０００１】
この発明は、特定の規格の情報記録媒体を、異なる規格の情報記録媒体として認識可能に情報の記録と再生が可能とする情報記録媒体に関する。
【背景技術】
【０００２】
現在市販されている記録型の光ディスクであるＤＶＤ−ＲディスクまたはＤＶＤ−ＲＷディスクは、ランドプリピットによりアドレス情報が予め記録されており、ウォブルされたプリグルーブ上に、記録マークが形成されている。
【０００３】
ランドプリピット及びプリグルーブからの再生信号は、アドレス情報の再生やトラッキングサーボ信号として利用される。安定したトラッキングやアドレス情報の正確な再生のために、これらの再生信号は大きな信号となるように、ランドプリピットやプルグルーブの形状は最適化されている。なお、ランドプリピット及びプリグルーブは、再生専用の−ＲＯＭタイプの光ディスクについては設けられておらず、従って、それらがウォブルしていることも無い。
【０００４】
特許文献１には、再生専用の第１のウォブルと、第１のウォブルと異なる形態の記録再生用の第２のウォブルが形成され、第２のウォブルは第１のウォブルよりも高周波、且つ整数倍に規定された光ディスクが示されている。
【特許文献１】特開２００３−１２３２６９
【発明の開示】
【発明が解決しようとする課題】
【０００５】
今日、情報記録再生装置において、ディスクの製造後にコンテンツが記録された追記型（−Ｒ）もしくは書き換え型（−ＲＷ）の光ディスクを、再生専用（−ＲＯＭ）ディスクとして認識させるために、再生専用（−ＲＯＭ）ディスクと追記型（−Ｒ）もしくは書き換え型（−ＲＷ）ディスクにおける大きな差異の一つであるプッシュプル演算方式によるトラッキングエラー信号振幅を、再生時は再生専用（−ＲＯＭ）ディスクとみなすことができる程度に小さくできる情報記録媒体（光ディスク）の開発が進められている。
【０００６】
しかしながら、再生専用のＤＶＤ−ＲＯＭディスクでは、エンボスピットで形成された記録マークによってアドレス情報やトラックが形成されており、ランドプリピットやプリグルーブは形成されていない。また、再生専用の光ディスク装置は、記録マークの情報を再生するために最適化されているため、記録型の光ディスクに固有のランドプリピットやプリグルーブの再生信号が混入すると、これが雑音成分となる。従って、たとえ記録条件が最適化された記録マークであっても、再生特性が劣化する。すなわち、現行のＤＶＤ−ＲやＤＶＤ−ＲＷといったディスクと再生専用のＤＶＤ−ＲＯＭとの間で、記録マークの読み取り特性が異なる問題がある。
【０００７】
このことは、特許文献１に示された例においても、解決されていない（第１のウォブルは、リードイン領域に代表される再生専用領域にのみ設けられている）。
【０００８】
この発明の目的は、特定の規格の情報記録媒体を、異なる規格の情報記録媒体として認識可能に情報の記録と再生が可能とする情報記録媒体を提供することである。
【課題を解決するための手段】
【０００９】
この発明は、上記問題点に基づきなされたもので、記録層と光反射層から構成される記録膜と、前記記録層と前記光反射層との間の界面に、凹凸形状を有するプリグルーブとプリグルーブ間に挟まれたランドと、を有する情報記録媒体において、前記プリグルーブと前記ランドは、所定の周波数のウォブルが与えられ、その周波数は記録及び再生に６５０±５ｎｍの光を用いる規格の記録媒体に比較して所定のずれを含むことを特徴とする情報記録媒体である。
【発明の効果】
【００１０】
この発明によれば、本提案によれば、追記可能な規格の情報記録媒体を、再生専用の規格の情報記録媒体として認識可能に情報の記録が可能となる。
【００１１】
また、本提案によれば、追記可能な規格の情報記録媒体を再生専用とみなして、記録された情報を安定に再生可能となる。
【００１２】
さらに、本提案によれば、再生専用と判断される記録可能な情報記録媒体のユーザーデータ領域に、追記可能な情報記録媒体に準じて、情報が記録可能である。
【発明を実施するための最良の形態】
【００１３】
以下、本発明の実施の形態について図面を参照しながら詳細に説明する。
【００１４】
本実施例が適用可能な情報記録媒体内（光ディスク）の構造を、図１と図２に示す。図１は、情報記録媒体の断面図、図２は情報記録媒体のグルーブ配置を上部から見た図である。図１では、図２に示したランドプリピット１０８の記載を省略している。
【００１５】
図１及び図２に示す追記形情報記録媒体（光ディスク）１００は、記録層１０３の材料として有機色素系材料を使用し、前記記録層１０３に隣接してＡｇまたはＡｇ合金などの無機物から成る光記録層１０２が形成されている。
【００１６】
記録層１０３と光反射層１０２との界面では、プリグルーブ１０７やランドプリピット１０８部に段差Ｈｒの凹凸形状になっている。光反射層１０２の反対側の界面にも凹凸形状が存在するが、図１では光反射層１０２の厚みが充分厚いので光反射層１０２の中央で切断した図面を示し、反対側の界面での凹凸形状の記載を省いた。
【００１７】
今後の説明では、本実施例における追記形情報記録媒体内の記録層１０３として有機色素系材料を使用する実施例について説明するが、本発明はそれに限らず記録層１０３の材料として無機物を使用しても良い。記録層１０３の材料として無機物を使用する実施例としてカルコゲナイド系などの相変化形（相変化を利用して記録マーク１０５を形成する）記録材料を使用することもできるし、Ｔｅ−Ｃ等の直接穴を開けて記録マーク１０５を形成するタイプ、あるいは異なる種類の無機層を複数層積層し、熱による拡散により記録マーク１０５内で混合物または化合物を形成させるものであっても良い。
【００１８】
本発明の実施例の一つである記録媒体は、情報の記録のために第一の波長である６５０ｎｍより短い波長の光を用い、記録した情報の再生には第二の波長である６５０ｎｍの波長の光を用いる。従って、記録層の材料としては、６５０ｎｍより短い波長の光で記録が可能なように、６５０ｎｍより短い波長の光の吸収率が高いものが望ましい。かつ、６５０ｎｍでの記録データの再生が可能なように、記録の前後で６５０ｎｍ付近の波長に対する、屈折率もしくは反射率の変化が大きいものが望ましい。
【００１９】
情報記録媒体の基板１０１には、同心円状、またはスパイラル状にプリグルーブ１０７が形成されており、プリグルーブ１０７は、図２に示すように半径方向に蛇行している。この蛇行した形状をウォブルと呼ぶ。また、ランドの一部に、プルグルーブがはみ出したような形状が形成されており、これをランドプリピット１０８と呼ぶ。
【００２０】
図１に示した断面構造を有した本実施例における情報記録媒体の場合には、Ｐｕｓｈ−Ｐｕｌｌ法を用いたトラックずれ検出信号やランドプリピット１０８からの検出信号は、段差Ｈｒを有する記録層１０３と光反射層１０２との間の界面で反射した光の回折・干渉により得られる。
【００２１】
本発明において用いる情報記録媒体（光ディスク）１００は、記録／再生装置として記録光と再生光とで使用波長を変えるとともに、波長の異なった記録光と再生光に対して良好な記録特性と再生特性を保証するものである。また、情報記録媒体（光ディスク）１００は、記録光に対してトラックずれ検出信号とランドプリピット検出信号が得られると同時に、再生光に対してはプリグルーブやプリピットからの影響がほとんど出ないようなプリグルーブ形状と寸法、およびランドプリピット形状と寸法を有している。なお、本実施例における情報記録媒体においては、現行のＤＶＤ−ＲディスクやＤＶＤ−ＲＷディスクとの間の再生互換性を確保するため、波長が６５０±５ｎｍの光で再生可能とする。
【００２２】
記録光に対してトラックずれ検出信号とランドプリピット検出信号が得られると同時に再生光（６５０±５ｎｍの光）に対してはプリグルーブやプリピットからの影響がほとんど出ないようなプリグルーブ寸法及びランドプリピット寸法と記録光の波長との関係について、図３を用いて説明する。
【００２３】
前述したように、プッシュ−プル法を用いたトラックずれ検出信号やランドプリピット１０８からの検出信号は、記録層１０３と光反射層１０２との間の界面（図２参照）で反射した光の回折・干渉により得られる。段差がＨｒであるプリグルーブ１０７またはランドプリピット１０８とランド１０９の両方に、それぞれ波長の異なる入射光１１４が照射された場合を説明する。
【００２４】
図３（ａ）は、波長が６５０ｎｍの再生光が照射された場合を表し、プリグルーブ１０７またはランドプリピット１０８とランド１０９に対して垂直に反射される反射光１１５が段差Ｈｒにより受ける位相差をε６５０で表す。
【００２５】
図３（ｂ）は、再生光とは異なる波長λｗの記録光が照射された場合を示している。記録光による反射光１１５が段差Ｈｒにより受ける位相差をελｗとする。
【００２６】
図３（ｃ）に示すように、段差量Ｈｒが等しい場合には、λｗ  ＜  ６５０ｎｍ  の時には、  ε６５０  ＜ελｗ  の関係が成り立つ。
【００２７】
ε６５０  ＜  π  であり、ελｗ  ＜  π  の場合には、位相差εが大きい方が反射光１１５間の干渉量が大きく、大きなトラックずれ検出信号とランドプリピット検出信号が得られる。また、位相差εが小さい方が反射光１１５間の干渉が小さく、プリグルーブやプリピットからの悪影響が出にくい。そのため、本実施例では再生光の波長（６５０±５ｎｍ）に対して記録光の波長λｗを短くし（λｗ  ＜  ６５０ｎｍ）、記録光に対してトラックずれ検出信号とランドプリピット検出信号が得られると同時に再生光に対してはプリグルーブやプリピットからの影響がほとんど出ないようにしたところに大きな特徴が有る。
【００２８】
記録光に使用される波長λｗの値は、６５０ｎｍより短ければ任意の値を取ることが可能である。しかし、ＨＤ  ＤＶＤやＢＤ（Ｂｌｕ  Ｒａｙ）で、発光波長が４０５ｎｍの半導体レーザー光源が使用されているので、同様に４０５ｎｍの光源を使用することで、記録用光学ヘッドを安価に作成できる。
【００２９】
ここで、第二の波長である６５０±５ｎｍを有する再生光に対する記録層１０３内での屈折率をｎ６５０とすると、ランドプリピットの深さ（段差）と等しいプリグルーブの深さ（段差）Ｈｒが「６５０／（８・ｎ６５０）ｎｍ」の時が、最もランドプリピット検出信号とトラックずれ検出信号が大きく検出される。従って、再生時にその影響を受けない条件としては、本実施例ではプリグルーブの深さ（段差）およびランドプリピットの深さ（段差）Ｈｒがその半分の「６５０／（１６・ｎ６５０）ｎｍ」以下に設定する。また、より影響を受けない条件では、更にその半分の「６５０／（３２・ｎ６５０）ｎｍ」以下に設定することが望ましい。
【００３０】
ここで、第一の波長である記録光の波長を４０５ｎｍとすれば、記録中のプリグルーブの深さ（段差）およびランドプリピットの深さ（段差）Ｈｒは、４０５ｎｍに対して「４０５／（１０・ｎ４０５）ｎｍ（＝６５０／４０５×４０５／（１６・ｎ６５０）ｎｍ）」となり、記録時にはプリグルーブ及びランドプリピットからの信号を再生することができる。
【００３１】
図４は、図１〜図３に示した光ディスクに情報を記録する記録用のレーザー光の波長と光ディスクから情報を再生する再生用のレーザー光の波長を変える場合に利用可能な記録媒体すなわち光ディスクＤの記録面の記録層の特性の一例を示している。なお、第１の波長と第２の波長とは、以下の理由から（既に説明した）４００〜４１０ｎｍと６５０〜６８０ｎｍに設定される。
【００３２】
現行のＤＶＤ−ＲディスクやＤＶＤ−ＲＷディスクでは、再生光の波長として６５０±５ｎｍを前提としている。従って、図４に示す特性（吸光度）を有する本提案の光ディスクの記録層としても、現行のＤＶＤ−ＲディスクやＤＶＤ−ＲＷディスクとの間の再生互換性を確保するため、波長が６５０±５ｎｍの光で再生可能であることが求められる。
【００３３】
一方で、記録用に用いられるレーザー光に使用される波長λｗの値は、６５０ｎｍより短ければ任意の値を取ることが可能である。反面、既にＨＤ  ＤＶＤやＢＤ（Blu Ray）規格においては、４０５ｎｍの波長のレーザー光（半導体レーザー光源）が使用されている。従って、記録用のレーザー光の波長の１つとしては、４０５±５ｎｍが有力である。
【００３４】
これらから、図４に示す光ディスクの記録層の特性（吸光度）は、波長４０５ｎｍ（第１の波長）における吸光度よりも記録前／記録後のいずれの場合も、波長６５０ｎｍ（第２の波長）における吸光度が高く、さらに第２の波長に対する吸光度は、記録前よりも記録後が低くなることが好ましい。
【００３５】
すなわち、図４に示す光ディスクの記録層の特性は、吸収のピークが第２の波長（赤）よりも長波長側であり、第２の波長のレーザー光を用いて情報を記録し、あるいは再生する場合に、第１の波長のレーザー光をほとんど吸収しないため、第１の波長のレーザー光に対する反射率は、第２の波長のレーザー光による記録の有無に拘わりなく、ほぼ一定となる。
【００３６】
このことは、図４に示した吸光度（反射率）を有する記録層を用いることで、トラッキング信号のオフセット変化が無く、安定したトラッキングをかけることが可能となる。なお、第１の波長のレーザー光に対する記録と未記録（記録の有無）により反射率（吸光度）が異なる場合、記録領域と未記録領域（記録の有無）による明るさ（反射）の差が、プッシュプル信号のオフセットになり、安定したトラッキングをかけることが困難となることはいうまでもない。
【００３７】
一方、光ディスクに固有のランド／グルーブの深さについては、図５に示すように、波長４０５ｎｍのレーザー光を、ＮＡ＝０．６５の対物レンズで集光させた場合のグルーブ深さとプッシュプル信号振幅との間の関係を示すシミュレーション結果と、図６に示すように、波長６５０ｎｍの光をＮＡ＝０．６の対物レンズで集光させた場合のグルーブ深さとプッシュプル信号振幅との間の関係を示すシミュレーション結果から、求めることができる。
【００３８】
図５は、プリグルーブ深さをパラメータとし、（グルーブの）台形斜面の中央におけるランド幅とグルーブ幅の比率を変えた時の出力の変化を計算している。なお、図５において、曲線Ａは、グルーブ深さが１０ｎｍの例を、曲線Ｂは、グルーブ深さが２０ｎｍの例を、曲線Ｃは、グルーブ深さが３０ｎｍの例を、曲線Ｄは、グルーブ深さが４０ｎｍの例を、曲線Ｅは、グルーブ深さが５０ｎｍの例を、曲線Ｆは、グルーブ深さが６０ｎｍの例を、曲線Ｇは、グルーブ深さが７０ｎｍの例を、それぞれ示している。
【００３９】
同じ条件で、波長４０５ｎｍの記録光をＮＡ０．６５の対物レンズで集光させた場合のシミュレーション結果を図６に示す。なお、図６において、各曲線のａ〜ｇは、グルーブ深さを示し、それぞれは、図５の大文字の添え字と対応されている。
【００４０】
図５および図６から、図５示した例に比べて図６に示した例のほうが遙かに大きなプッシュプル信号振幅が得られることが分かる。
【００４１】
例えば、光ディスクＤの記録層の溝（グルーブ）の深さが２０ｎｍである時、波長４０５ｎｍのレーザー光に対してプッシュプル振幅が大きく出力されるが、波長６５０ｎｍのレーザー光では小さい。従って、光ディスクの記録層に、このようなグルーブ（溝）を与えることで、波長４０５ｎｍのレーザー光によりトラッキングをかけて光ディスクに信号を記録した後、波長６５０ｎｍのレーザー光で再生した場合には、プッシュプル信号がほとんど出力されない。その結果、フォーカス信号におけるトラッククロスの影響が小さくなり、安定したフォーカスをかけることが可能である。
【００４２】
なお、記録済みの光ディスクを、現行のＤＶＤ規格の光ディスク向けの任意の光ヘッド及び光ディスク装置を用いて、波長６５０ｎｍのレーザー光で再生する場合においても、記録マーク（ピット列）が記録されていることに起因して、ＤＰＤ（Difference Phase Detection）方式でトラッキングをかけることが可能であるため、プッシュプル信号が出力されないことは問題とならない。
【００４３】
図１ないし図４に示した情報記録媒体（光ディスク）１００には、詳述しないが、予め光ディスクの種類識別情報や、最適記録波形設定情報、記録波形最適化の目標値などが記録されている。例えば、アプリケーションコードとして、そのディスクがどのような目的で使用されるかが記録されており、一般のデータを記録するためのディスクであるか、図７に一例を示すＭＯＤ（Manufacturing On Demand）に使用されるディスクであるか、図８に一例を示すＥＳＴ（Electric Sell Through）に使用されるかといった情報である。ここで、ＭＯＤとは、暗号化された映像コンテンツ等を小売店に対してネットワーク等で配信し、そのコンテンツを小売店内に設置された光ディスク装置で情報記録媒体に記録し、販売する形態である。また、ＥＳＴとは、暗号化された映像コンテンツ等を直接エンドユーザーに配信かつ販売し、エンドユーザーが所有している光ディスク装置内で、ユーザーが保持している情報記録媒体に記録することを許容する販売形態である。光ディスク装置は、これらのディスクタイプまたはアプリケーションコードを確認することにより、挿入されたディスクが一般のデータ記録用のディスクであるのか、ＥＳＴ用のディスクであるのかを簡単に判別でき、最適な記録波長の選択や配信されたコンテンツの記録を許可されている記録媒体であるか、そうでないかといったことを判定することができる。
【００４４】
図７及び図８に、ＭＯＤ方式およびＥＳＴ方式について、概略的に説明する。
【００４５】
情報記録媒体すなわち光ディスク１００には、ＭＯＤ方式においては、小売店５内に設置された情報（複製）記録装置５５により暗号化されたディスク鍵群１６と暗号化されたタイトル鍵１３、暗号化された映像コンテンツ１４が記録され、ＥＳＴ方式に使用される情報記録媒体はエンドユーザ６が所有している記録装置により暗号化されたディスク鍵群１６と暗号化されたタイトル鍵１３、暗号化された映像コンテンツ１４が記録される。
【００４６】
本実施例では、映像コンテンツ１４等の特定情報とＣＳＳに関連した各種鍵情報いずれに対しても暗号化後の情報をネットワーク経由で配信させることを特徴とする。
【００４７】
図７に示すように、ＭＯＤ方式においては、コンテンツは、情報記録媒体１００に、小売店５内に設置された情報（複製）記録装置５５内で、記録波長λｗ（≠６５０ｎｍ）のレーザー光で記録される。この情報（複製）記録装置５５内には、通信鍵記憶部５２とマスタ鍵記憶部２７が存在する。図７では両者が異なるように記述されているが、それに限らず通信鍵記憶部５２とマスタ鍵記憶部２７が１個のメモリ内で兼用されていても良い。
【００４８】
小売店５は、映像コンテンツ１１等の特定情報の制作会社（コンテンツプロバイダ）５４に対して通信鍵代金４９を支払って、通信鍵４４を購入する。
【００４９】
この特定情報の制作会社（コンテンツプロバイダ）５４はこの通信鍵を利用して映像コンテンツ１１等の特定情報を暗号化し、通信鍵で暗号化された特定情報４５をネットワーク経由で小売店５に対して配信する。小売店５では、この特定情報を暗号化して記録した情報記録媒体１００をエンドユーザ６に販売し、その売り上げに応じた複製許可代金４７を特定情報の制作会社（コンテンツプロバイダ）５４に対して支払う。
【００５０】
特定情報の制作会社（コンテンツプロバイダ）５４から配信された通信鍵で暗号化された特定情報４５は、既に配信された通信鍵４４の情報を利用し、特定情報に対する複合器５１内で、一度は暗号解読される。その直後にタイトル鍵１２で暗号化し、タイトル鍵で暗号化された特定情報４２の形で情報記録媒体１００内に記録される。図４に示した実施例では、プレーンな（非暗号化状態の）ディスク鍵１５の代わりに、暗号化されたタイトル鍵１３がネットワークを経由して小売店５へ転送される。それを可能にするために、本実施例では暗号鍵発行会社（ＣＳＳエンティティー）２と小売店５との間にエージェント会社８を配置している。このエージェント会社８ではタイトル鍵生成部２１によりタイトル毎のタイトル鍵１２を発行する。
【００５１】
次に充分にセキュリティ対策が施された環境下で暗号鍵発行会社（ＣＳＳエンティティー）２から転送されたディスク鍵１５を用いて暗号化されたタイトル鍵１３をタイトル鍵の暗号器２３内で発生させて小売店５へ向けてネットワーク配信する。
【００５２】
小売店５内の情報（複製）記録装置５５内ではこのネットワーク配信された暗号化されたタイトル鍵１３を情報記録媒体１００内にそのまま記録する。
【００５３】
小売店５では情報記録媒体１００内に記録したタイトル鍵１３の記録回数に応じてエージェント会社８に対して鍵代金とＤＶＤライセンス料３３を支払う。エージェント会社８では、これにより集まったＤＶＤライセンス料３３をまとめてＤＶＤライセンス会社７に支払う。
【００５４】
また、ＤＶＤライセンス会社７は、ブランク状態２０の情報記録媒体１００を製造する情報記録媒体の製造会社９に対してＤＶＤライセンス料３２を徴収する代わりに情報記録媒体の製造許諾権３１を与える。
【００５５】
図７に示したエージェント会社８は、ディスク複製会社（レプリケータ）４と同様に暗号鍵発行会社（ＣＳＳエンティティ）２からディスク鍵１５と共に暗号化されたディスク鍵群１６を受け取るが、エージェント会社８は小売店に対して暗号化されたディスク鍵群１６をそのままネットワーク配信する。
【００５６】
このように、小売店５に対してネットワーク配信される情報は“通信鍵で暗号化された特定情報４５”と“暗号化されたディスク鍵群１６”、“暗号化されたタイトル鍵”と言う全て暗号化された情報なため、ネットワーク経路途中で情報が漏れたとしても不正コピーを防止することが可能となる。
【００５７】
図７では、ＭＯＤ方式に使用される情報記録媒体１００を例に説明したがが、本発明はそれに限らず、上述のＥＳＴ方式に使用される情報記録媒体１０に対しても適応が可能である。
【００５８】
ＥＳＴの場合には、ネットワーク経由での配信先がエンドユーザ６となるが、この場合でもエンドユーザ６に対しては“通信鍵で暗号化された特定情報４５”と“暗号化されたディスク鍵群１６”、“暗号化されたタイトル鍵”と言う全て暗号化された情報が配信されるため、不正コピーを防止できる。
【００５９】
さらに、ＭＯＤ方式／ＥＳＴ方式のいずれの場合でもネットワーク配信されるＣＳＳに関連した情報が“暗号化されたディスク鍵群１６”と“暗号化されたタイトル鍵”と言う情報記録媒体１０内に記録される情報と一致しているため、情報（複製）記録装置５５内の記録前段階処理が大幅に簡素化されて、情報（複製）記録装置５５の低価格化と処理の信頼性向上が実現できる。
【００６０】
また、情報（複製）記録装置５５内のディスク鍵の複合器２８内では、マスタ鍵記憶部２７から転送されるマスタ鍵４０を利用して、エージェント会社８からネットワーク配信された暗号化されたディスク鍵群１６の暗号解読を行う。
【００６１】
ここで得られたディスク鍵１５を利用してタイトル鍵の複合器２９内では、同じくエージェント会社８からネットワーク配信された暗号化されたタイトル鍵１３の暗号解読を行ってタイトル鍵１２を生成し、このタイトル鍵１２を用いて特定情報に対する暗号器４１内で特定情報４３の暗号化を行って情報記録媒体１００へ記録する。
【００６２】
図８においても、情報（複製）記録装置６０に対してネットワーク配信されるＣＳＳ関連情報は“暗号化されたディスク鍵群１６”と“暗号化されたタイトル鍵”と言う暗号化された情報記録媒体１０に記録される情報であることは、図７に示した実施例と一致している。しかし、図８の応用例では、映像コンテンツ１１をネットワーク配信される代わりに通常のＤＶＤ−Ｖｉｄｅｏディスク３を配送３６していることが異なる。
【００６３】
図８に示した実施例では、情報（複製）記録装置６０内部において、ＤＶＤ−Ｖｉｄｅｏディスク３内に、記録されている暗号化された映像コンテンツ１４の暗号解読（復合化）を行うと共に、暗号解読後の映像コンテンツ１４を再度暗号化して本発明の情報記録媒体１００に記録する。
【００６４】
図９は、本発明が適用される情報記録再生装置（光ディスクドライブ）の構成例を示すブロック図である。
【００６５】
この情報記録再生装置（光ディスクドライブ）は、前記の情報記録媒体（光ディスク）１００に対して情報の記録及び再生を行うものである。光ディスク１００には、図１ないし図４により既に説明したが、同心円状、または螺旋状に溝が刻まれており、溝の凹部をランド、凸部をグルーブと呼び、グループまたはランドの一周をトラックと呼ぶことは、既に説明した通りである。
【００６６】
ユーザデータは、このトラック（グルーブのみまたはグルーブ及びランド）に沿って、強度変調されたレーザー光を照射して記録マークを形成することで記録される。データ再生は、記録時より弱いリードパワー（read power）のレーザー光をトラックに沿って照射して、トラック上にある記録マークによる反射光強度の変化を検出することにより行われる。記録されたデータの消去は、前記リードパワーより強いイレースパワー（erase power）のレーザー光をトラックに沿って照射し、記録層を結晶化することにより行われる。なお、情報記録媒体（光ディスク）１００は、図１ないし図４により既に説明したように、波長が４０５±５（４００〜４１０）ｎｍの青色レーザー照射時は、プッシュプル（Push-Pull）演算方式による大きなトラッキングエラー信号振幅が得られるが、赤色レーザー照射時はプッシュプル演算方式により小さなトラッキングエラー信号振幅しか得られない特徴を有している。
【００６７】
光ディスク１００は、スピンドルモータ６３によって所定の速度で回転される。スピンドルモータ６３に設けられたロータリエンコーダ６３ａからは、回転角信号が提供される。回転角信号は、スピンドルモータ６３が１回転すると、例えば、５パルス発生する。この回転角信号からスピンドルモータ６３の回転角度及び回転数を判断できる。
【００６８】
光ディスク１００に対する情報の記録・再生は、光ピックアップ（Pick Up Head）６５によって行われる。光ピックアップ６５は、送りモータ６７とギアとスクリューシャフトを介して連結されており、この送りモータ６７は、送りモータ制御回路６８により制御される。送りモータ６７が送りモータ制御回路６８からの送りモータ駆動電流により回転することにより、光ヘッド６５が光ディスク１００の半径方向に移動する。
【００６９】
光ヘッド６５には、図示しないワイヤもしくは板バネにより、光ディスク１００の記録面と直交する方向及び光ディスク１００の半径方向に所定距離だけ移動可能に支持された対物レンズ７０が設けられている。対物レンズ７０は、駆動コイル７２の駆動によりフォーカシング方向（記録面と直交する方向すなわち対物レンズ７０の光軸方向）への移動が可能で、また駆動コイル７１の駆動によりトラッキング方向（光ディスク１００の半径方向すなわち対物レンズ７０の光軸と直交する方向）への移動が可能である。
【００７０】
レーザー変調制御回路７５は、情報記録時（マーク形成時）に、ホスト装置９４からインタフェース回路９３を介して供給される記録データに基づいて、書き込み用信号を青色レーザーダイオード（青色レーザー発光素子、発光波長４０５±５ｎｍ）７９−１に提供する。同時に、レーザー変調制御回路７５は、読取り用信号を赤色レーザーダイオード７９−２（赤色レーザー発光素子、発光波長６５０±５ｎｍまたは６５０〜６８０ｎｍ）に提供する。
【００７１】
フォトダイオードにより構成されるモニタ用光検出器（ＦＭ−ＰＤ）９５−１と（ＦＭ−ＰＤ）９５−２は、それぞれ青色レーザーダイオード７９−１と赤色レーザーダイオード７９−２が発生するレーザー光の一部をハーフミラー９６−１とハーフミラー９６−２により一定比率だけ分岐し、光量つまり照射パワーに比例した受光信号をそれぞれ検出し、受光信号をレーザー変調制御回路７５に供給する。レーザー変調制御回路７５は、モニタ用光検出器（ＦＭ−ＰＤ）９５−１および（ＦＭ−ＰＤ）９５−２からの受光信号に基づいて、ＣＰＵ（Central Processing Unit）９０により設定された再生時レーザーパワー、記録時レーザーパワー及び消去時レーザーパワーで発光するように、青色レーザーダイオード７９−１と赤色レーザーダイオード７９−２を制御する。
【００７２】
それぞれのレーザーダイオード７９−１，７９−２は、レーザー変調制御回路７５から供給される信号に応じて青色もしくは赤色レーザー光を発生する。青レーザーダイオード７９−１から発せられるレーザー光は、コリメータレンズ８０、ハーフプリズム８１、対物レンズ７０を介して光ディスク１００上に照射される。赤レーザーダイオード７９−２から発せられるレーザー光は、コリメータレンズ８０、ハーフプリズム８１、対物レンズ７０を介して光ディスク１００上に照射される。光ディスク１００からの反射光は、対物レンズ７０、ハーフプリズム８１、集光レンズ８２、波長選択プリズム８６によって赤色光と青色光それぞれに分けられ、それぞれ、シリンドリカルレンズ８３−１，８３−２を介して、信号再生用光検出器８４−１，８４−２に導かれる。光ヘッド６５は、赤色もしくは青色どちらかの波長で対物レンズが情報記録媒体（光ディスク）１００の記録層の合焦点位置になると、他方の波長でも合焦点位置となる仕組みを有している。また、光ヘッド６５は、赤色レーザー光と青色レーザー光のビームスポット中心が一致しているという特徴を有している。
【００７３】
信号再生用光検出器８４−１，８４−２は、例えば４分割の光検出セルから成り、これら光検出セルの検知信号はＲＦアンプ８５に出力される。ＲＦアンプ８５は、個々の光検出器８４−１，８４−２の光検知セルからの信号を処理し、合焦点位置からの誤差を示すフォーカスエラー信号ＦＥ、レーザー光のビームスポット中心とトラック中心との誤差を示すトラッキングエラー信号ＴＥ、及び光検知セル信号の全加算信号である再生信号を生成する。記録時においては、トラッキングエラー信号ＴＥは、青色用光検出器８４−２出力、光検知セル信号の全加算信号である再生信号は赤色用光検出器８４−１出力を使用する。合焦点位置からの誤差を示すフォーカスエラー信号ＦＥは、赤色用光検出器８４−１出力または青色用光検出器８４−２出力のどちらを使用しても良い。
【００７４】
フォーカスエラー信号ＦＥは、ＲＦアンプ８５の出力が、ローパスフィルター（ＬＰＦ）８７−１で帯域制限されることで生成され、フォーカス制御回路８７−２に供給される。フォーカス制御回路８７−２は、フォーカスエラー信号ＦＥに応じてフォーカス駆動（制御）信号を生成する。フォーカス駆動信号は、フォーカシング方向の駆動コイル７１に供給される。これにより、レーザー光が光ディスク１００の記録膜上に常時ジャストフォーカスとなるフォーカスサーボが行われる。
【００７５】
トラッキングエラー信号ＴＥは、ＲＦアンプ８５の出力が、ローパスフィルター（ＬＰＦ）８８−１で帯域制限されることで生成され、トラック制御回路８８−２に供給される。トラック制御回路８８−２は、トラッキングエラー信号ＴＥに応じてトラック駆動信号を生成する。トラック制御回路８８から出力されるトラック駆動（制御）信号は、トラッキング方向の駆動コイル７２に供給される。これにより、レーザー光が光ディスク１００上に形成されたトラック上を常にトレースするトラッキングサーボが行われる。
【００７６】
上記フォーカスサーボおよびトラッキングサーボがなされることで、信号再生用光検出器８４−１あるいは８４−２の各光検出セルの出力信号の全加算信号ＲＦには、記録情報に対応して光ディスク１００のトラック上に形成された記録マークなどからの反射光の変化が反映される。この信号は、イコライザー（ＥＱ）７８−１により周波数特性がイコライズ（補償）され、データ再生回路７８−２に供給される。データ再生回路７８−２は、ＰＬＬ回路７６からの再生用クロック信号に基づき、記録データを再生する。
【００７７】
なお、ＲＦアンプ８５の出力の一部は、バンドパスフィルター（ＢＰＦ）９８−１により帯域制限され、ウォブル検出回路９８−２に入力される。また、ＢＰＦ９８−１の出力はウォブルカウンタ９８−３にも入力される。
【００７８】
上記トラック制御回路８８によって対物レンズ７０が制御されているとき、送りモータ制御回路６８により、対物レンズ７０が光ヘッド６５内の所定位置近傍に位置するよう送りモータ６７つまり光ヘッド６５が制御される。
【００７９】
スピンドルモータ制御回路６４、送りモータ制御回路６８、レーザー制御回路７３、ＰＬＬ（Phase Locked Loop）回路７６、データ再生回路７８、フォーカス制御回路８７−２、トラック制御回路８８−２、エラー訂正回路６２等は、バス（Bus line）８９を介してＣＰＵ９０によって制御される。ＣＰＵ９０は、インタフェース回路９３通じてホスト装置９４から提供される動作コマンドに従って、記録再生装置の全体動作を制御する。また、ＣＰＵ９０は、ＲＡＭ（Random Access Memory）９１を作業エリアとして使用し、不揮発メモリＮＶ−ＲＡＭ９９に記録された装置個体毎のパラメータを適宜参照し、ＲＯＭ（Read Only Memory）９２に記録されている本発明によるプログラムを含む制御プログラムに従って所定の動作を行う。
【００８０】
次に、本実施例に基づく情報記録再生装置の記録時の動作について詳述する。
【００８１】
記録時は、ホストコンピュータ９４からインタフェース回路９３を通して記録データが送られ、レーザー変調制御回路７５により記録データに対応したレーザー駆動波形電流が生成される。生成されたレーザー駆動波形電流は、青色レーザーダイオード７９−１へ送られ、光ヘッド６５上の青色レーザーダイオード７９−１を強度変調し、情報記録媒体１００上に記録マークを形成するのは前記のとおりである。前記のとおり、同時に光ヘッド上の赤色レーザーダイオード７９−２を照射しているので、青色レーザーダイオード７９−１により形成された記録マークによる赤色光での反射光による受光信号が信号再生用光検出器８４−１または８４−２へ入力され、ＲＦアンプ８５、ＥＱ７８−１により周波数特性が補償された後、データ再生回路７８−２へ送られる。
【００８２】
データ再生回路７８−２では、受光信号に基づいて信号を再生し、記録マーク長・スペース長ごとに、理想的な時間間隔とのずれ量（ジッター）、受信信号のシンメトリー（信号波の平均値を中心としたときの信号振幅の対称性）等、記録パルスの調整に必要な情報を検出する。
【００８３】
ＣＰＵ９０は、データ再生回路７８が検出した情報を元に、青色レーザーダイオード７９−１により形成された記録マークを赤色レーザーダイオード７９−２を使用して再生した時に、再生される信号波形が理想的に（再生信号の情報エラーが小さく）なるよう、記録時レーザーパワー及び消去時レーザーパワーの設定値をレーザー変調制御回路７５へ指令する。
【００８４】
次に、図９を用いて説明した情報記録再生装置において、情報記録媒体（光ディスク）にプリグルーブまたはランドプリピットのウォブルを検出する方法について、詳細に説明する。すなわち、図９に示した情報記録再生装置においては、図１ないし図４を用いて既に説明したようなランドプリピット及びプリグルーブが設けられている記録用の情報記録媒体を、再生専用の情報記録媒体とみなして記録されている情報が再生可能であるとともに、記録用の情報記録媒体については、新規に、あるいは途中まで情報が記録されている状態において、残りの記録可能領域に、情報を記録することができる。
【００８５】
これを実現するため、図９に示した情報記録再生装置の要部を図１０に抜き出して説明するが、ウォブル検出回路９８−２は、ウォブル信号を抽出するために、ウォブル周波数を中心とするバンドパスフィルター（ＢＰＦ）９８−１を前段に有する。バンドパスフィルター９８−１は、例えば図１１に示すように、１次のローパスフィルター９８−１１と１次のハイパスフィルター９８−１２の組み合わせが用いられる。バタワース特性を持つ１次のフィルターの場合、カットオフ周波数に対して−６ｄＢ／ｏｃｔの特性で信号が減衰する。従って、現行のＤＶＤ規格の光ディスクにおけるウォブルに対して周波数をずらしたウォブル信号は、バンドパスフィルター９８−１２の出力において減衰するため、ウォブル検出回路９８−２において、「ウォブル有り」と判断されなくなる（「ウォブル無し」と判断される）。
【００８６】
なお、ウォブル周波数のずらし量は、バンドパスフィルター（ＢＰＦ）９８−１の減衰特性と「ウォブル有り」と判断する基準値の関係で決めるとよく、例えば標準ディスクのウォブル検出出力に対して１／２以下になると『ウォブル無し』と判断できる場合には、図１２に示すように、基準ディスクに対して、ウォブル周波数を２倍、あるいは１／２にするとよい。この場合、ＢＰＦ９８−１を通されたウォブル信号は、図１３（ｄ）に示すように、図１３（ｂ）に示す通常のウォブル信号の振幅に比較して、その絶対値（peak-peak）が減衰される。
【００８７】
また、記録クロック周波数とウォブル周波数は、いうまでも無く同期している必要がある。例えば、図１４に示すように、個々の同期ブロックにおいて、ウォブル信号は、実質的に正弦波として規定され、基準位相波（ＮＰＷ）と位相反転波（ＩＰＷ）が設定されている。また、一般に、ＮＰＷとＩＰＷのウォブル個数の組み合わせによりシンクパターンやアドレス情報、等が表現されている（埋め込まれている）。従って、周波数をずらした後のウォブルの周期も整数ビットとなるようにする必要がある。
【００８８】
さらに、一般に、図１５に一例を示すが、同期ブロックに対して整数個のウォブル信号が対応されることが多い。これは、記録時にタイミングを取りやすくするため、あるいはトラックアドレス信号の対応を容易にするために、有益である。これらを考慮すると、周波数をずらした本実施例のウォブルにおいても、同期ブロックに対して整数個のウォブルを対応させることが好ましい。
【００８９】
すなわち、現行のＤＶＤ規格の光ディスクでは、ディスクに記録するデータは同期パターンを先頭とする同期ブロック単位で処理が行われる。ＤＶＤの同期ブロックの長さは、９３×１６＝１４８８ビットとなっている。この同期ブロックに対して、基準ディスクのウォブルでは１８６ビット周期で連続的にトラックがウォブルされている。つまり、１つの同期ブロックと８周期分のウォブルを対応させている。
【００９０】
本実施例では基準ディスクに対して、ウォブルの周期をずらすことを特徴とする。例えばＤＶＤのウォブル周期１８６ビットからずらした周期でトラックをウォブルさせる。
【００９１】
従って、現行のＤＶＤ規格における同期ブロック長である１４８８ビットを素因数に分解した場合に得られる２×２×２×２×３×３１（ビット）を適切に組み合わせることにより、ウォブル周期は、同期ブロック長の約数として規定できる。例えば、以下の数値が取り得る。    
周波数を高いほうにずらす場合：    
３１ビット、４８ビット、６２ビット、９６ビット    
周波数を低いほうにずらす場合：    
２４８ビット、３７２ビット、４９６ビット、７４４ビット。
【００９２】
なお、基準ディスクでは連続的してトラックがウォブルされているが、これに対して本実施例では、１同期ブロックに対応する８周期分のウォブルに対して、少なくとも一部の周期の区間はウォブルをしないことを特徴とする。例えば１同期ブロックあたり３周期分だけトラックをウォブルさせ、残りの５周期はウォブルをしない。ウォブルさせる部分は同期ブロックの先頭前後で連続した３周期としてもよい。
【００９３】
このような光ディスクを用いた場合、検出されるウォブル信号は、図１６（ｃ）のようになる。ここで、ウォブル検出の判定は、ノイズなどの影響を回避するために複数回の判定を行ったあとに、安定性を向上させるために多数決処理を用いることで、図１６（ｄ）に示すように、複数の位置で「ウォブル有り」と『ウォブル無し』を判定した場合、多数決処理の結果『ウォブル無し』と判断される。
【００９４】
一方、情報記録媒体（光ディスク）１００側において用意できる例としては、図１７に示すように、光ディスク１００の半径方向における「管理データ領域（最も中心寄り）」、「リードイン領域（中心寄り）」、ユーザーデータが記録される「ユーザーデータ領域（ディスク半径の概ね中央値を含む領域）」、及び「リードアウト領域（外周寄り）」のそれぞれの領域のうち、ユーザーデータ領域では、トラック（ランドプリピット及びプリグルーブ）をウォブルせず、管理データを記録するリードイン領域において、トラックにウォブルを与えることが好ましい。
【００９５】
このディスク構造は、情報記録再生装置（ディスクドライブ装置）が記録媒体の種類を判定する際に、多くの場合、ディスクの中周付近で、ウォブル信号の検出（ウォブルの有無の判定）を行うことを利用するため、ドライブ装置側には、特別な工夫を必要としないメリットがある。すなわち、光ディスクにおいては、管理データは、ディスクの内周側の領域にのみ用意され、中周及び外周側の領域は、ユーザーデータを記録する領域となっていることにより、ドライブ側に、新たな要求（負担）が生じることはほとんどない。
【００９６】
従って、光ディスクの中周部分を含むユーザーデータ領域のみを、ウォブル無しの状態にすることで、『ウォブル無し』のディスクとして識別させることができる。なお、必ずしも、ユーザーデータ領域全体をウォブル無しにする必要は無く、少なくとも光ディスクの種類の判別が実行される中周領域（ディスクの半径方向を概ね三等分した中央部分）の一部またはその全域にウォブルが形成されていない光ディスクにおいては、『ウォブル無し』と判断される。
【００９７】
また、図示しないが、本実施例の光ディスクは、現行のＤＶＤ−Ｒではウォブルと同期してランドプリピットと呼ばれる方式によりアドレス情報が多重（事前記録）されているが、アドレス情報をウォブルのある領域に対してのみ多重（事前記録）を行い、ウォブルの無いグルーブに対してはアドレスを多重（事前記録）しないことを特徴とする。
【００９８】
また、図示しないが、本実施例の光ディスクは、ウォブルが設けられるデータ領域の先頭から所定の範囲の定義としては、トラックの偏芯量とＰＵＨの位置決め精度から、トラックの偏芯量がＤＶＤ−Ｒ規格では７０μｍ以下であり、ＰＵＨの位置決め精度が概ね０．１ｍｍ、且つディスクの取り付け（クランプ）精度が概ね０．１ｍｍである場合に、ＤＶＤ−Ｒ規格のデータ領域の先頭は半径２４．０ｍｍ＋０．０ｍｍ−０．１ｍｍすなわち半径２３．９ｍｍから２４．００ｍｍの範囲に記録されている。従って、これらの数値の合計に対して０．２ｍｍ程度のマージンを見込むと、少なくとも、（半径で）２４．５ｍｍまではウォブルが設けられている、とみなすことができる。
【００９９】
このことは、ウォブルが形成される（与えられる）プリグルーブ及びランドプリピットの最も外周寄りの境界点は、図１７に示した半径方向の概略説明において、リードイン領域よりも所定量だけユーザーデータ領域に入り込んだ領域内になることを示している。
【０１００】
なお、図１７に示したような光ディスクにおいては、リードイン領域の記録再生が可能な領域にデータを記録する（試し書きする）際には、現行のＤＶＤ−Ｒと同様の手順で情報を記録することができる。しかしながら、試し書きあるいはデータの記録のためには、少なくとも「開始位置」が特定できなければならない。
【０１０１】
従って、「データ領域の先頭への記録開始処理」のために、記録開始位置の前後の所定の範囲では、グルーブがウォブルされており、アドレス情報も記録されていることが必要である。この場合、ウォブル周波数を基準にディスクの回転速度を設定し、ウォブルに同期した記録クロックを生成し、アドレス情報を再生して記録開始位置（記録可能位置）にＰＵＨを移動し、位置が正確に把握できている位置（トラック）からデータの記録を開始すればよい。また、途中で、情報の記録が終了している場合には、既に記録されているデータを再生して、続きを記録すればよい。
【０１０２】
一方、「記録開始後の処理」としては、記録方式は、主に線速度一定（ＣＬＶ）記録方式と、角速度一定（ＣＡＶ）方式であるから、ＣＬＶ記録を行う場合には、記録クロック周波数を記録開始の時点の周波数で固定し、記録位置が外周に移動するに従って、半径位置から計算した線速度が一定となるようにディスクの回転速度を遅くするよう、光ディスクの加点を制御すればよく、ＣＡＶ記録を行う場合には、ディスクの回転速度を記録開始時点の回転速度で固定し、記録位置が外周に移動するに従って、半径位置から計算した線記録密度が一定となるように、記録クロックの周波数を早くしていけばよい。
【０１０３】
なお、既に一部にデータが記録されている光ディスクに、さらにデータを追記する場合には、記録を中断する際に、ＰＵＨの位置と最後に記録したデータに含まれているアドレス情報を、例えばドライブ側に記憶させ、もしくは光ディスクの管理データ領域あるいは現在位置に、記録することで、追記可能となる。
【０１０４】
すなわち、データ領域の大部分のグルーブにはアドレスが記録されてないが、記録済みのデータにはアドレス情報が含まれている。従って、記録再開時には、ＰＵＨを、記録を中断した位置のわずかに手前（内周）側に移動して記録済みデータを再生し、再生されたデータに含まれるアドレス情報から記録を再開するタイミングを生成することで、記録を再開する位置に達した時点から記録を再開すれば、記録再開位置の誤差を小さくすることができる。
【０１０５】
なお、やむを得ず記録中断位置が不明となってしまった場合には、記録データの有無を検出することにより記録中断位置を求めると同時に、記録を中断したＰＵＨの位置と記録済みデータに含まれるアドレスを抽出することにより、記録処理を再開することが可能となる。
【０１０６】
以上説明したように、本提案によれば、追記可能な規格の情報記録媒体を、再生専用の規格の情報記録媒体として認識可能に情報の記録が可能となる。
【０１０７】
また、追記可能な規格の情報記録媒体を再生専用とみなして、記録された情報を安定に再生可能となる。
【０１０８】
さらに、再生専用と判断される記録可能な情報記録媒体のユーザーデータ領域に、追記可能な情報記録媒体に準じて、情報が記録可能である。
【０１０９】
なお、本発明は、上述のいずれかの実施の形態そのままに限定されるものではなく、実施段階ではその要旨を逸脱しない範囲で構成要素を変形して具体化できる。また、上記のいずれかの実施の形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【０１１０】
また、この発明は、波長４０５ｎｍ（青色）のレーザーにより記録し、波長６５０ｎｍ（赤色）のレーザーにより記録された情報を再生する組み合わせに限定されるものではなく、記録と再生が同一の波長のレーザービームを用いるものにも適用できることはいうまでもない。
【図面の簡単な説明】
【０１１１】
【図１】この発明の一実施形態が適用される記録媒体の記録領域の構造の一例を説明する概略図。
【図２】この発明の一実施形態が適用される記録媒体の記録領域の断面構造の一例を説明する概略図。
【図３】図１及び図２に示した記録媒体のプリグルーブ寸法及びランドプリピット寸法と記録光の波長との関係について説明する概略図。
【図４】図１に示した光ディスク装置により情報が記録される記録媒体の記録層の吸光度（反射特性）と第１及び第２の光源からの光の波長との関係について説明する概略図。
【図５】波長４０５ｎｍの光をＮＡ＝０.６５の対物レンズで集光させた場合のグルーブ深さとプッシュプル信号振幅との間の関係を示すシミュレーション結果を示すグラフ。
【図６】波長６５０ｎｍの光をＮＡ＝０.６の対物レンズで集光させた場合のグルーブ深さとプッシュプル信号振幅との間の関係を示すシミュレーション結果を示すグラフ。
【図７】本発明の情報記録媒体を用いることで達成される映像情報配信システムの一例を説明する概略図。
【図８】本発明の情報記録媒体を用いることで達成される映像情報配信システムの一例を説明する概略図。
【図９】この発明の一実施形態が適用される情報記録再生装置の一例を示す概略ブロック図。
【図１０】図９に示した情報記録再生装置におけるウォブル信号を抽出する構成の一例を説明する概略図。
【図１１】図１０に示したウォブル信号の抽出に用いるフィルター要素の構成の一例を説明する概略図。
【図１２】図１１に示したフィルター要素の特性を説明する概略図。
【図１３】本発明の情報記録媒体に与えられる構造上の特性の一例を示す概略図。
【図１４】本発明の情報記録媒体に与えられる構造上の特性の一例を示す概略図。
【図１５】本発明の情報記録媒体に与えられるデータ構造の一例を説明する概略図。
【図１６】図９に示した情報記録再生装置においてウォブル信号を抽出する方法の一例を説明する概略図。
【図１７】本発明の情報記録媒体に与えられるデータ構造の一例を説明する概略図。
【符号の説明】
【０１１２】
６５…光ピックアップ、７０…対物レンズ、７５…レーザー制御回路、７８−１…イコライザー（ＥＱ）、７８−２…データ再生回路、７９−１…青色レーザーダイオード、７９−２…赤色レーザーダイオード、８４…信号再生用光検出器、８５…ＲＦアンプ、８７−１…ローパスフィルター（ＬＰＦ）、８７−２…フォーカス制御回路、８８−１…ローパスフィルター（ＬＰＦ）、８８−２…トラック制御回路、９８−１…バンドパスフィルター、９８−１１…１次のローパスフィルター、９８−１２…１次のハイパスフィルター、９８−２…ウォブル検出回路、９８−３…ウォブルカウンタ、１００…情報記録媒体（光ディスク）、１０１…透明基板、１０２…光反射層、１０３…記録層、１０５…記録マーク、１０７…プリグルーブ、１０８…ランドプリピット、１０９…ランド。
【図１】
2008217909.tif 000003
【図２】
2008217909.tif 000004
【図３】
2008217909.tif 000005
【図４】
2008217909.tif 000006
【図５】
2008217909.tif 000007
【図６】
2008217909.tif 000008
【図７】
2008217909.tif 000009
【図８】
2008217909.tif 000010
【図９】
2008217909.tif 000011
【図１０】
2008217909.tif 000012
【図１１】
2008217909.tif 000013
【図１２】
2008217909.tif 000014
【図１３】
2008217909.tif 000015
【図１４】
2008217909.tif 000016
【図１５】
2008217909.tif 000017
【図１６】
2008217909.tif 000018
【図１７】
2008217909.tif 000019